(57)【特許請求の範囲】
【請求項１】
吸気口及び排気口と、電動送風機と、フィルターとを設けた空気清浄機本体を有し、同空気清浄機本体の隣合う２つ以上の面を曲面でつないで形成した湾曲面に沿って排気口を形成し、前記電動送風機によって外気を前記吸気口を通って前記フィルターを通過させて前記排気口から排出し、前記フィルターにより清浄、脱臭し、前記排気口は、２つの面にわたって湾曲して形成された格子状のルーバーと、そのルーバーの内側に設けられた格子状の網目ルーバーＡおよび網目ルーバーＢとで構成され、前記網目ルーバーＡおよび前記網目ルーバーＢは共に成形品で、それぞれ同一形状で２部品ずつ設けられ、組み合わせたときに前記ルーバーの外枠とほぼ同一形状になる空気清浄機。
【請求項２】
格子面と、前記格子面より目が粗く、かつ前記格子面の格子より太い格子で形成された大格子面を前記格子面の外側に重ねるように設けて排気口を形成した請求項１記載の空気清浄機。
【請求項３】
格子面と大格子面を分割し、前記格子面を成形品で形成して前記大格子面に取り付けるようにした請求項２記載の空気清浄機。
【請求項４】
格子面と大格子面を爪の引っかけによって取り付けるようにした請求項３記載の空気清浄機。
【請求項５】
格子面または大格子面またはその両方を２つ以上に分割した請求項４記載の空気清浄機。
【請求項６】
分割した格子面または大格子面のうち少なくとも２つを同形状とした請求項５記載の空気清浄機。
【請求項７】
柔軟性のある糸状のもの、またはそれをよったもので網状体を形成して格子面とした請求項２記載の空気清浄機。
【請求項８】
大格子面に凹部を設け、その凹部と凹部に圧入される弾性体との間に網状体を挟み込んで固定した請求項７記載の空気清浄機。
【請求項９】
大格子面にピンを設け、そのピンに網状体を差し込んだ後、前記ピンをつぶして前記網状体を固定した請求項７記載の空気清浄機。
【発明の詳細な説明】
【０００１】
【発明の属する技術分野】
本発明は、空気清浄機に関するものである。
【０００２】
【従来の技術】
従来の空気清浄機を、図面を用いて説明する。
【０００３】
図１０、図１１に示すように、従来の空気清浄機は、隔壁吸気口５８が設けられた隔壁５１と、その後面に取り付けた電動送風機５２と、その外側を被う本体後ろ５３と、前記隔壁５１の前面に設けられたフィルター５４と、その前面を被う吸気口５７が設けられた前面カバー５５と、前記隔壁５１の前面上部に取り付けた表示部５６とで本体を構成し、前記本体後ろ５３の上部に平面的に排気口５９が設けられていた。
【０００４】
上記の空気清浄機において、本体内に吸い込まれた外気に含まれる塵埃、煙草の臭いや悪臭、化学物質などは、前記吸気口５７を通って前記フィルター５４を通過する時に補集されるとともに、吸着作用または化学分解作用などで除去され、清浄、脱臭された空気が前記隔壁吸気口５８を経て排気口５９から排出される。
【０００５】
【発明が解決しようとする課題】
上記のような従来の空気清浄機では、排気口５９は本体の上面にのみ配置されているので、本体内に吸入された空気はすべて本体の上面から排出されることになり、排出される風の音が１方向に限定されるとともに、排出される風の勢いも強くなるため、騒音が大きくなったり、本体付近の外気をまき散らして空気の汚れを拡散させやすくしたり、排気が身体に強く当たって不快感を引き起こすという問題があった。
【０００６】
本発明は、以上のような従来の課題を解決しようとするものであって、本体から排出される空気の方向を１方向に限定しないようにするとともに、風の勢いを弱くして、騒音を減少させるとともに、空気の汚れを拡散させにくくし、排気による不快感を少なくするとともに、組立が容易な排気口の構成を提供することを目的としている。
【０００７】
【課題を解決するための手段】
上記目的を達成するために本発明は、隣合う２つ以上の面を曲面でつないで形成した湾曲面に沿って排気口を形成したもので、本体から排出される空気の方向を少なくとも２方向にすることができるとともに、風の勢いを弱くすることができ、騒音を減少させるとともに、空気の汚れを拡散させにくくし、排気による不快感を少なくするようにし、網目ルーバーＡおよび網目ルーバーＢをそれぞれ同一形状で２部品ずつ設けたので、部品を小さくすることができるとともに共用化することができるので、組立が容易になるとともに、流通過程や組立行程における部品の取扱いも簡便になり、コストを下げることができる空気清浄機を提供するものである。
【０００８】
【発明の実施の形態】
本発明の請求項１記載の発明は、隣合う２つ以上の面を曲面でつないで形成した湾曲面に沿って排気口を形成したもので、本体から排出される空気の方向を少なくとも２方向にすることができるとともに、風の勢いを弱くすることができ、騒音の低下、汚れた空気のまき散らし、不快感を解消させることができ、網目ルーバーＡおよび網目ルーバーＢをそれぞれ同一形状で２部品ずつ設けたので、部品を小さくすることができるとともに共用化することができるので、組立が容易になるとともに、流通過程や組立行程における部品の取扱いも簡便になり、コストを下げることができる。
【０００９】
本発明の請求項２記載の発明は、格子面と、その格子面より目が粗く、かつその格子面の格子より太い格子で形成された大格子面を前記格子面の外側に重ねるように設けて排気口を形成したもので、ある程度の強度が必要となる外郭に強度的に強い部分を設けることで、本体内への異物侵入防止に必要な目の細かい部分を薄く形成することができるので、格子部分で発生する排気の空気抵抗を少なくすることができ、騒音の低下、大風量への対応を容易にすることができる。
【００１０】
本発明の請求項３記載の発明は、格子面と大格子面を分割し、前記格子面を成形品で形成して前記大格子面に取り付けるようにしたもので、格子の間隔を一定に保った状態で容易に前記格子面と大格子面を組み合わせることができる。
【００１１】
本発明の請求項４記載の発明は、格子面と大格子面を爪の引っかけによって取り付けるようにしたもので、道具を使わずに容易に前記格子面と大格子面を組み立てることができる。
【００１２】
本発明の請求項５記載の発明は、格子面または大格子面またはその両方を２つ以上に分割したもので、部品を小さくすることができるので、組立が容易になるとともに、流通過程や組立行程における部品の取扱いも簡便になる。
【００１３】
本発明の請求項６記載の発明は、分割した格子面または大格子面のうち少なくとも２つを同形状としたもので、部品を共用化できるので、コストを下げることができる。
【００１４】
本発明の請求項７記載の発明は、柔軟性のある糸状のもの、またはそれをよったもので網状体を形成して格子面としたもので、格子を細いものにできるので、空気抵抗をより少なくすることで、騒音の低下、大風量への対応を容易にすることができる。
【００１５】
本発明の請求項８記載の発明は、大格子面に凹部を設け、その凹部と凹部に圧入される弾性体との間に網状体を挟み込んで固定したもので、柔軟性のある網状体を容易に固定することができる。
【００１６】
本発明の請求項９記載の発明は、大格子面にピンを設け、そのピンに網状体を差し込んだ後、前記ピンをつぶして前記網状体を固定したもので、構成する部品を２部品だけにすることができ、材料コストを下げることができる。
【００１７】
【実施例】
以下本発明の一実施例を、図面を用いて説明する。なお従来例と同一構成部品については同一符号を付して、その説明を省略する。
【００１８】
本発明の空気清浄機は、図１、図２に示すように、隔壁吸気口２８が設けられた隔壁２１と、その後面に取り付けた電動送風機２２と、その外側を被う本体後ろ２３と、前記隔壁２１の前面に設けられたフィルター２４と、その前面を被う吸気口２７が設けられた前面カバー２５と、前記隔壁２１の前面上部に取り付けた表示部２６とで本体を構成し、この本体の隣合う２つの面を曲面でつないで形成した湾曲面に沿って排気口２９を設けている。
【００１９】
上記構成による作用は以下の通りである。
【００２０】
前記電動送風機２２によって本体内に吸い込まれた外気に含まれる塵埃、煙草の臭いや悪臭、化学物質などは、前記吸気口２７を通って前記フィルター２４を通過する時に補集されるとともに、吸着作用または化学分解作用などで除去され、清浄、脱臭された空気が前記隔壁吸気口２８を経て前記排気口２９から排出される。この時、排出される空気は曲面に沿った前記排気２５９の全域から排出されるので、排気は広く分散され、その分散により排気流の風速は弱められ、それにより騒音も低減される。さらに、排気流の風速が弱まることにより本体付近の外気のまき散らしによる汚れの拡散や、身体に排気が集中して強く当たることによって起こる不快感を防止することができる。
【００２１】
次に、前記排気口２９の構成を図３、図４、図５に示す。図３に示すように、前記排気口２９は、２つの面にわたって湾曲して形成された格子状のルーバー１と、そのルーバー１の内側に設けられた格子状の網目ルーバーＡ２および網目ルーバーＢ３とで構成されている。ここで、前記網目ルーバーＡ２および網目ルーバーＢ３は共に成形品で、それぞれ同一形状で２部品ずつ設けられ、組み合わせたときに前記ルーバー１の外枠とほぼ同一形状になるようになっている。また、前記ルーバー１は前記網目ルーバーＡ２および網目ルーバーＢ３より格子の目が粗く、かつより太い格子で形成されている。さらに、図３、図４、図５に示すように、前記ルーバー１には引っかけ孔１１が設けられ、前記網目ルーバーＡ２および網目ルーバーＢ３には、前記引っかけ孔１１に挿入して前記網目ルーバーＡ２および網目ルーバーＢ３を前記ルーバー１に固定するための引っかけ軸１２が設けられている。
【００２２】
上記構成による作用は以下の通りである。
【００２３】
ある程度の強度が必要となる外郭に強度的に強い前記ルーバー１を設けることで、本体内への異物侵入防止としての前記網目ルーバーＡ２および網目ルーバーＢ３を薄く形成することができるので、前記網目ルーバーＡ２および網目ルーバーＢ３の格子部分で発生する排気の空気抵抗を少なくすることができ、騒音の低下、大風量への対応を容易にすることができる。また、前記網目ルーバーＡ２および網目ルーバーＢ３を成形品で形成して前記ルーバー１に取り付けるようにしたので、前記網目ルーバーＡ２および網目ルーバーＢ３の格子の間隔を一定に保った状態で容易に前記ルーバー１と組み合わせることができる。さらに、前記引っかけ孔１１に前記引っかけ軸１２を挿入するだけで、前記ルーバー１に前記網目ルーバーＡ２および網目ルーバーＢ３を道具を使わずに容易に組み立てて固定することができる。さらにまた、前記網目ルーバーＡ２および網目ルーバーＢ３をそれぞれ同一形状で２部品ずつ設けたので、部品を小さくすることができるとともに共用化することができるので、組立が容易になるとともに、流通過程や組立行程における部品の取扱いも簡便になり、コストを下げることができる。
【００２４】
次に、前記排気口２９の他の構成例を図６、図７および図８、図９に示す。
【００２５】
図６、図７に示すものでは、前記排気口２９は、ルーバー１と、そのルーバー１の内側に設けられた、柔軟性のある糸状のもの、またはそれをよったもので形成された網４と、前記ルーバー１の内側に設けられた凹部１３に圧入される弾性体５とで構成されている。また、図８、図９に示すものでは、前記排気口２９は、ルーバー１と、網４とで構成され、前記ルーバー１の内側には前記網４を差し込むことが可能なピン１４が設けられている。
【００２６】
上記構成による作用は以下の通りである。
【００２７】
図６、図７に示すように、前記弾性体５と前記凹部１３の間に網４を挟み込むことで、柔軟性のある前記網４を容易に前記ルーバー１に固定することができる。また、図８、図９に示すように、前記ピン１４に前記網４を差し込んだ後、前記ピン１４をつぶすことで前記網４を容易に前記ルーバー１に固定することができ、構成する部品を２部品だけにすることで材料コストを下げることができる。さらに、図６、図７および図８、図９に示すように、格子を細いものにできる前記網４を使用しているので、空気抵抗をより少なくすることができ、騒音の低下、大風量への対応を容易にすることができる。
【００２８】
【発明の効果】
本発明の請求項１記載の発明によれば、本体から排出される空気の方向を少なくとも２方向にすることができるとともに、風の勢いを弱くすることができ、騒音の低下、汚れた空気のまき散らし、不快感を解消させることができ、網目ルーバーＡおよび網目ルーバーＢをそれぞれ同一形状で２部品ずつ設けたので、部品を小さくすることができるとともに共用化することができるので、組立が容易になるとともに、流通過程や組立行程における部品の取扱いも簡便になり、コストを下げることができる。
【００２９】
本発明の請求項２記載の発明によれば、ある程度の強度が必要となる外郭に強度的に強い部分を設けることで、本体内への異物侵入防止に必要な目の細かい部分を薄く形成することができるので、格子部分で発生する排気の空気抵抗を少なくすることができ、騒音の低下、大風量への対応を容易にすることができる。
【００３０】
本発明の請求項３記載の発明によれば、格子の間隔を一定に保った状態で容易に前記格子面と大格子面を組み合わせることができる。
【００３１】
本発明の請求項４記載の発明によれば、道具を使わずに容易に前記格子面と大格子面を組み立てることができる。
【００３２】
本発明の請求項５記載の発明によれば、部品を小さくすることができるので、組立が容易になるとともに、流通過程や組立行程における部品の取扱いも簡便になる。
【００３３】
本発明の請求項６記載の発明によれば、部品を共用化できるので、コストを下げることができる。
【００３４】
本発明の請求項７記載の発明によれば、格子を細いものにできるので、空気抵抗をより少なくすることで、騒音の低下、大風量への対応を容易にすることができる。
【００３５】
本発明の請求項８記載の発明によれば、柔軟性のある網を容易に固定することができる。
【００３６】
本発明の請求項９記載の発明によれば、柔軟性のある網を容易に固定することができるとともに、構成する部品を２部品だけにすることができ、材料コストを下げることができる。
【図面の簡単な説明】
【図１】本発明の一実施例を示す空気清浄機の斜視図
【図２】同空気清浄機の側面断面図
【図３】（ａ）同空気清浄機の排気口の正面図
（ｂ）図３、（ａ）のＡ−Ａ断面図
（ｃ）図３、（ａ）の構成を示す分解側面図
【図４】（ａ）同排気口の断面図
（ｂ）同排気口の分解断面図
【図５】（ａ）同排気口の要部拡大図
（ｂ）同排気口の要部拡大図（組立前）
【図６】（ａ）他の排気口の例を示す断面図
（ｂ）同排気口の分解断面図
【図７】同排気口の部分拡大図
【図８】（ａ）他の排気口の例を示す断面図
（ｂ）同排気口の分解断面図
【図９】同排気口の部分拡大図
【図１０】従来の空気清浄機の斜視図
【図１１】同空気清浄機の側面断面図
【符号の説明】
１  ルーバー（大格子面）
２  網目ルーバーＡ（格子面）
３  網目ルーバーＢ（格子面）
【図１】
0004385450.tif 000002
【図２】
0004385450.tif 000003
【図３】
0004385450.tif 000004
【図４】
0004385450.tif 000005
【図５】
0004385450.tif 000006
【図６】
0004385450.tif 000007
【図７】
0004385450.tif 000008
【図８】
0004385450.tif 000009
【図９】
0004385450.tif 000010
【図１０】
0004385450.tif 000011
【図１１】
0004385450.tif 000012